(57)【要約】      （修正有）【課題】構造簡単、コスト削減、効率および品質を向上できる大型紫外線（ＵＶ）インクジェットプリンターのプリンタモジュールの構造を提供する。【解決手段】大型紫外線（ＵＶ）インクジェットプリンターのプリンタモジュールは、主にジェットヘッド装置を含み、図形を印刷する際に必要なカラーインクを出力するほか、該インクジェットヘッド装置の両側に、それぞれアンダーコートを出力するインクジェットヘッドと、トップコートを出力するインクジェットヘッドを設ける。印刷する前にまず該アンダーコート出力のインクジェットヘッドよりアンダーコートを出力し、印刷完了後、該トップコート出力のインクジェットヘッドよりトップコートを出力した図形の上に噴射する。【選択図】図１
0003131067.tif 000002
【実用新案登録請求の範囲】
【請求項１】
図形印刷に必要なカラーインクを出力するインクジェット装置を含み、  
該インクジェット装置の両側にアンダーコートを出力するインクジェットヘッド及び、トップコートを出力するインクジェットヘッドを設け、印刷する前に、該アンダーコートを出力するインクジェットヘッドよりまずアンダーコートを出力し、印刷後は該トップコートを出力するインクジェットヘッドより、トップコートを出力し、印刷図形の上に噴射することを特徴とする大型紫外線（ＵＶ）インクジェットプリンターのプリンタモジュール。
【請求項２】
該アンダーコートを出力するインクジェットヘッド及び、トップコートを出力するインクジェットヘッドは、いずれもプリンタモジュールがその出力をコントロールすることを特徴とする請求項１記載の大型紫外線（ＵＶ）インクジェットプリンターのプリンタモジュール。
【考案の詳細な説明】
【技術分野】
【０００１】
本考案は大型紫外線（ＵＶ）インクジェットプリンターのプリンタモジュールの構造に関し、特に直接印刷の前処理と後処理を印刷のプロセスに組み入れたプリンタモジュールである。直接アンダーコート、図形印刷及びトップコートを噴射して印刷作業を進行する大型紫外線（ＵＶ）インクジェットプリンターのプリンタモジュールである。簡単な仕組みで有効的に生産コストを削減し、印刷の効率とクォリティを引き上げる。
【背景技術】
【０００２】
コンピューター或いは印刷作業の周辺設備の中で、プリンターは必須アイテムの一つとなっている。資料、作業やレポートを印刷するだけでなく、カラーインクジェット技術の進歩により、インクジェットプリンターは異なる色のインクカートリッジが同じ位置に異なる濃度の色を噴射することで、色鮮やかなーカラーを印刷する。よって、プリンターを使って写真のようなクォリティのものを出力するのは、もはや夢物語ではない。
【０００３】
印刷業界にとって、インクジェット製品は世界の趨勢であり、少量多様な製品であれば、インクジェットタイプのプリンターで印刷すると、色別の網版を作る手間ひまを省くことができ、この競争の激しい時代では優勢となる。
【０００４】
しかし、紫外線（ＵＶ）デジタル印刷応用では、付着力の優れない被印字媒体に印刷した完成品は、剥げ易いのが現状である。よって、現在多くの解決方案は、印刷する前に、他の設備或いは人力を使い、被印字媒体にまずアンダーコートを塗り、被印字媒体とカラーインクの界面接着剤代わりにし、そのプロセスを印刷の前処理と呼ぶ。
【０００５】
しかし、図形を出力した後、完成品が外力によって剥げる、或いは完成品の表面にシャイニー効果が必要な場合は、また別の設備或いは人力を使い、印刷完了した媒体の表面にトップコートを塗ることで、表面にシャイニー効果及び剥げ落ちを防止する。このプロセスを印刷の後処理と呼ぶ。
【０００６】
しかし、上述の図形を印刷するのに、印刷の前処理と後処理は、専用の設備を使い、或いは人力によって行うため、大量生産及び大範囲の印刷の場合では、生産コストが高い上に効率が悪く、上述の技術を改善する必要があった。
【考案の開示】
【考案が解決しようとする課題】
【０００７】
本考案の第１の目的は、構造が簡単な上、生産コストを削減し、印刷の効率及びクォリティを上げる大型紫外線（ＵＶ）インクジェットプリンターのプリンタモジュールの構造を提供することにある。
【課題を解決するための手段】
【０００８】
前記課題を解決するために、本考案は図形に必要なカラーインクを出力し、インクジェットヘッド装置の両側にアンダーコートとトップコートを出力するインクジェットヘッド装置を構成する。印刷する前に該アンダーコートを出力するインクジェットヘッドはまずアンダーコートを出力し、印刷した後、該トップコートを出力するインクジェットヘッドがトップコートを図形の上に噴射する。
【考案の効果】
【０００９】
ユーザーは本考案のプリンタモジュールを使用し、一連のデジタル印刷プロセスの中で、アンダーコートと図形印刷及びトップコートの処理を同時に完了する。従来技術のように、図形を出力するのに、３段階に分けて且つ専用の設備や人力を使って処理する必要がない。本考案は大量生産及び大範囲の印刷をする際、有効的に生産コストの削減及び印刷の効率及び出力クォリティーを上げる。
【考案を実施するための最良の形態】
【００１０】
図１及び図２が示すのは、本考案の大型紫外線（ＵＶ）インクジェットプリンターのプリンタモジュールの実施例である。該プリンタモジュール１は、インクジェットヘッド装置１１を含み、図形印刷に必要なカラーインク１１１を出力する。該インクジェットヘッド装置１１の両側にそれぞれアンダーコート１２１を出力するインクジェットヘッド及び、トップコートを出力するインクジェットヘッド１３を設ける。該アンダーコート１２１を出力するインクジェットヘッド１２と、トップコート１３１を出力するインクジェットヘッド１３は、いずれもプリンタモジュール１がその出力をコントロールする。
【００１１】
印刷する前に、ユーザーはまず該プリンタモジュール１をコントロールし、該プリンタモジュール１にあるカラーインク１１１のインクジェットヘッド装置１１の片側に設けたアンダーコート１２１を出力するインクジェットヘッド１２より、まずアンダーコート１２１を被印字媒体２に出力する。アンダーコート１２１出力後、該プリンタモジュール１の両側に設置する紫外線（ＵＶ）ライト３を照射し、インクを素早く乾燥させる。次にプリンタモジュール１はカラーインク１１１のインクジェットヘッド装置１１をコントロールし、予定する図案を出力し、最後にプリンタモジュール１がインクジェットヘッド装置１１の片側にあるトップコート１３１を出力するインクジェットヘッド１３をコントロールし、トップコート１３１の塗布作業に進行する。表面にシャイニー効果及び印刷完成品が剥げるのを防止する機能を持つ。
【００１２】
ユーザーは本考案のプリンタモジュール１により、一連のデジタル印刷プロセスの中で、アンダコートー、カラー、トップコートの処理を一度に完了することができる。従来技術のように、３段階に分けて且つ専用の設備や人力を使って処理する必要がない。本考案は大量生産及び大範囲の印刷をする際、有効的に生産コストの削減及び印刷の効率及び出力クォリティーを上げる。
【図面の簡単な説明】
【００１３】
【図１】本考案の各インクジェットヘッドがプリンタモジュールにセットした構造略図である。
【図２】本考案の実施例を被印刷媒体に応用した時の使用状態略図である。
【符号の説明】
【００１４】
１．プリンタモジュール
１１  インクジェットヘッド装置
１１１  カラーインク
１２  インクジェットヘッド
１２１  アンダーコート
１３  インクジェットヘッド
１３１  トップコート
２  被印字媒体
３  紫外線（ＵＶ）ライト
【図１】
0003131067.tif 000003
【図２】
0003131067.tif 000004